(57)【要約】【課題】  ハンドバッグ等の素材として、和装帯を用いることにより、日本において昔から伝承されてきた和装帯の文化と西洋から入ってきたハンドバッグ等のバッグの文化とを融合させることで、従来には見られなかった斬新で且つ趣のあるバッグを提供する。【解決手段】  ハンドバッグ等のバッグ１の少なくとも本体部分２の表地の全体若しくは部分を構成する素材として、所定形状に裁断した和装帯を用いる。また、本体部分の裏地の全体若しくは部分を構成する素材として、所定形状に裁断した和装帯を用いてもよく、これらの素材は、異なる種類の和装帯の断片どうしを継ぎ合わせたものであってもよい。さらに、表地の表面はオーガンジーで覆われていてもよい。【選択図】  図１
0003128884.tif 000002
【実用新案登録請求の範囲】
【請求項１】
少なくとも本体部分の表地の全体若しくは部分を構成する素材として、所定形状に裁断した和装帯を用いたことを特徴とするバッグ。
【請求項２】
少なくとも本体部分の裏地の全体若しくは部分を構成する素材として、所定形状に裁断した和装帯を用いたことを特徴するバッグ。                
【請求項３】
前記素材が異なる種類の和装帯の断片どうしを継ぎ合わせたものであることを特徴とする請求項１または２記載のバッグ。
【請求項４】
表地の表面がオーガンジーで覆われていることを特徴とする請求項１乃至３の何れかに記載のバッグ。
【考案の詳細な説明】
【技術分野】
【０００１】
本考案は、特に、ハンドバッグ等に好適なバッグに関する。
なお、本考案における「バッグ」とは、芯材等によって、自然の状態で所定の形状を保持していることが可能な、ハンドバッグ等の種々の鞄類や、ポーチ、財布を含むものであって、袋物のように、中に入れた物品の形状に応じて形が柔軟に変形してしまうようなものは含まない。
【背景技術】
【０００２】
従来より、婦人用のハンドバッグ等のバッグの素材としては、皮革、合成皮革、合成樹脂、布等様々なものが用いられており、例えば、下記に示す特許文献１には、オーストリッチやカンガルー等様々な種類の革を表装部材と裏装部材に用いたハンドバッグが提案されている。
【０００３】
また、特許文献２には、ハンドバッグ本体を木製として、ファッション性と使い勝手を考慮したものが提案されている。さらに、特許文献３には、極細幅の柔らかい皮革紐とラメ糸、天然糸とを引き揃えた編物地で胴部表面側を構成してソフトな感触が得られるようにしたものが提案されている。
【０００４】
【特許文献１】実用新案登録第３０８７８２７号公報
【特許文献２】実用新案登録第３０６２５５２号公報
【特許文献３】実開平７−４４４０８号公報
【考案の開示】
【考案が解決しようとする課題】
【０００５】
前述したように、従来、ハンドバッグ等の素材には、ファッション性や手触り感、機能性等を考慮して、様々なものが用いられていたが、皮革や布、合成樹脂素材等は、既に広く普及している素材であって、斬新さに欠けるところがあった。  
【０００６】
そこで、本考案は、ハンドバッグ等の素材として、和装帯を用いることにより、日本において昔から伝承されてきた和装帯の文化と西洋から入ってきたハンドバッグ等のバッグの文化とを融合させることで、従来には見られなかった斬新で且つ趣のあるバッグを提供することを目的とする。
【課題を解決するための手段】
【０００７】
前記課題を解決するため、本考案のバッグは、少なくともバッグの本体部分の表地の全体若しくは部分を構成する素材として、所定形状に裁断した和装帯を用いたものである。
【０００８】
また、本考案のバッグは、少なくとも本体部分の裏地の全体若しくは部分を構成する素材として、所定形状に裁断した和装帯を用いたものである。
【０００９】
また、本考案のバッグにおいては、前記素材が異なる種類の和装帯の断片どうしを継ぎ合わせたものであることも好ましい。さらに、表地の表面がオーガンジーで覆われていることも望ましい。
【考案の効果】
【００１０】
請求項１記載の考案に係るバッグによれば、少なくとも本体部分の表地の全体若しくは部分を構成する素材として、所定形状に裁断した和装帯を用いているため、和装帯特有の質感や艶やかな色彩や風合いが得られ、ハンドバッグ等の種々の現代的なデザインのバッグに日本の伝統的な文化を融合させた、斬新で気品のあるバッグを提供することができる。
【００１１】
また、請求項２記載の考案に係るバッグによれば、少なくとも本体部分の裏地の全体若しくは部分を構成する素材として、所定形状に裁断した和装帯を用いているため、バッグを開けた際に日本の伝統的な文化である和装帯の裏地が見えるので、斬新で気品ある雰囲気を演出することができる。
【００１２】
また、請求項３記載の考案に係るバッグによれば、異なる種類の和装帯の断片のどうしを継ぎ合わせた素材を用いることにより、柄や風合いが様々に異なる、変化に富んだ趣向性の高いデザインのバッグを提供することができる。
【００１３】
また、請求項４記載の考案に係るバッグによれば、表地の表面をオーガンジーで覆うことでその手触りに独特のシャリ感が得られるとともに、表地に色彩や図柄が日常の使用においては、艶やか過ぎる和装帯が用いられている場合、オーガンジーで覆うことにより表地の艶やかさが抑えられてバッグの外観を上品で落ち着いた雰囲気に変えることができる。
【００１４】
また、オーガンジーで覆うことにより、表地の多少の汚れや傷、日焼けなどが、目立たなくなるので、表地に使用済みの和装帯をリサイクル利用することも可能となり、バッグの製造コストを低減することができる。
【００１５】
また、特に、オーガンジーの素材として、ポリエステルやポリアミド等の耐摩耗性や耐候性に優れた素材を使用することにより、表地を擦れや直射日光による日焼けによる色褪せ等から保護することができ、バッグの耐久性を向上させることができる。
【考案を実施するための最良の形態】
【００１６】
以下、図面に基づいて、本考案の実施形態を説明する。図１は、本考案の１実施形態としてのバッグの外観を示す斜視図であって、同図に示すバッグ１は、小型のハンドバッグであって、本体部分２と、その開口部３の後側の上端縁に連設されたカバー４から構成されている。
【００１７】
バッグ１は、その本体部分２の前面の中央部と、カバー４の裏面側中央部には、一対のホック５、６がそれぞれ固着されている。これらのホック５、６は、その少なくとも一方に永久磁石が内蔵されており、カバー４を閉じて開口部３を覆った状態で互いに前記永久磁石の磁力によって吸着してカバー４を閉止状態に維持するようになっている。
【００１８】
また、本実施形態のバッグ１は、手提げとして用いられるチェーン７を有している。前記チェーン７の両端部には、それぞれ連結環８、９が取り付けられていて、これらの連結環８、９は、カバー４の裏面に固着されている一対の保持金具１０、１１にそれぞれ揺動自在に保持されている。
【００１９】
前記チェーン７は、使用しない場合には、図１に示すように本体部分２の底部に垂らして収容した状態でカバー４を閉じられるようになっている。一方、このチェーン７を手提げとして使用する場合にはカバー４の左右両側から引き出した状態でカバーを閉じて、引き出されている部分を手で提げるようにする。また、チェーン７は少し長めにして、肩に掛けられるようにしてもよい。
【００２０】
また、本実施形態のバッグ１においては、本体部分２の内部に、携帯電話やカード類のような小物を収納することができる一対のポケット１２、１３が形成されている。
【００２１】
図２は、本体部分２の断面構造を示す部分図であって、同図に示すように、本体部分２はボール紙等の変形しにくい素材で形成された芯材１４を挟んで、本体部分２の外側に配置されている表地１５と、内側に配置されている裏地１６、ならびに、表地１５のさらに外側を覆っているオーガンジー１７から構成されている。
【００２２】
なお、芯材１４は、ボール紙の他、硬質の発泡スチロール等、変形し難くい素材を適宜用いることができる。また、本実施形態のものにおいては、カバー４についても本体部分２と同様な断面構造となっている。
【００２３】
また、本実施形態のバッグ１においては、製造コストを低減するために、本体部分２とカバー４のそれぞれの表地１５に、使用済みとなった和装帯を本体部分１の表面形状に適合するように裁断したものをリサイクル使用している。
【００２４】
一方、ハッグ本体２とカバー４の裏地１６には、豪華な雰囲気を出すために、金色の布素材が用いられている。また、和装帯からなる表地１５の外側を覆っているオーガンジー１７は、特有のシャリ感や繊細な光沢を有して、高級で気品ある雰囲気を演出することができる。
【００２５】
本実施形態のバッグ１においては、表地１５の外側をオーガンジー１７で覆ったことによって、使用済みの和装帯の汚れや焼け、色褪せ等を目立たなくすることができる。なお、表地１５に使用する和装帯は、新品のものを使用してもよい。
【００２６】
また、オーガンジー１７に、ポリエステルやポリアミド等の耐候性や耐摩耗性に優れた素材を用いることにより、、表地１５を直射日光による日焼けによる色褪せや擦れから保護することができ、バッグ１の耐久性を向上させることができる。
【００２７】
前述した実施形態においては、和装帯をバッグ１を構成する本体部分２とカバー４の表地１５の全体の素材として用いているが、本考案は、これに限定するものではなく、例えば、表地の一部を和装帯を裁断した素材とし、残部を別の布や革等を裁断した素材として、組み合わせて用いてもよい。
【００２８】
また、バッグ本体２やカバー４の裏地についても同様に、これらの全部または一部に和装帯を裁断したものを素材として用いてもよく、裏地のみに和装帯を裁断した素材を用いてもよい。さらに、前述した実施形態においては、表地１５の外側をオーガンジー１７で覆っているが、オーガンジーを用いずに表地の表面をそのまま露出するようにしてもよい。
【産業上の利用可能性】
【００２９】
バッグの種類や形状は、前述した実施形態のものに限定するものではなく、芯材等によって自然の状態で形状を保持していることが可能なハンドバッグ等の鞄類、ポーチ、及び、財布にも広く適用可能である。
【図面の簡単な説明】
【００３０】
【図１】本考案の１実施形態におけるバッグの外観を示す斜視図である。
【図２】本考案の１実施形態における本体部分の断面構造を示す部分図である。
【符号の説明】
【００３１】
１            バッグ
２            本体部分
３            開口部
４            カバー
５、６         ホック
７            チェーン
８、９          連結環
１０、１１        保持金具
１２、１３        ポケット
１４            芯材
１５            表地
１６            裏地
１７            オーガンジー
【図１】
0003128884.tif 000003
【図２】
0003128884.tif 000004